(57)【特許請求の範囲】
【請求項１】
支点台に支持されてシーソーの縦揺れ運動のように垂直面内で揺動し、装置自体の構造的制限内で任意の傾き角度に設定可能なガイドバー上に電動機による動力伝達を受けて手動あるいは自動的に往復移動する指標を備え、かつ、支点台取付部材に水平面内で９０度近傍の制限つき往復回転機構、あるいは制限を設けずに自由に回転可能な機構を有して、１．左右水平方向、２．右斜め上から左斜め下及びその逆方向、３．左斜め上から右斜め下及びその逆方向、４．目線の上下方向、５．遠近方向、の５方向に対する眼筋トレーニングを可能ならしめることを特徴とする視力回復・改善の為の眼筋トレーニング装置。 
【発明の詳細な説明】
【技術分野】
【０００１】この発明は、眼筋の機能の衰えにより視力が低下した人の視力回復・改善の為のトレーニング装置に関するものである。
【背景技術】
【０００２】これまでの視力回復トレーニング装置の構造を見ると、遠近方向のトレーニングが主体となっており、眼筋の中でも内眼筋の毛様体筋の調節機能の回復にねらいが絞られている。また、トレーニングに際し、トレーニングを受ける者は装置が設置されている特定の場所に出向いて、患者と検査者という関係の中で訓練が行われるので、必然的に時間と場所と使用上の制約を受ける。【０００３】
【特許文献１】特開昭６０−０４８７４３号公報
【特許文献２】特開平６−３３９５０１号公報
【特許文献３】特開２００１−６１９１７号公報
【発明の開示】
【発明が解決しようとする課題】
【０００４】眼球自体には視力調整機能の低下以外に特別な疾患も無く、眼科の診察を受ければ視力検査をして適当な度のめがねを勧められるだけで、肝心の視力回復の為の治療は施されないし、回復方策の推奨も得られない。昨今特別な施設に行けば、それなりのトレーニングを受けることも可能であるが、なかなか時間的な問題や経済的な問題で継続利用が困難であったり、あるいは最初から躊躇してあきらめる。このことは発明者自身の体験でもあり、今回の考案を申請するに至った動機でもある。【０００５】発明者は、例えば、肩の筋肉が凝ってくると筋肉自体の伸びが悪くなり腕や首の動きが妨げられることがあるのと同じように、外眼筋の硬直化もなにがしか視力に悪影響を与えるのではないだろうか、との疑問を持っており、従って、課題として次の２点を挙げる。１．  視力回復トレーニングの対象として、外眼筋（上・下直筋、内・外側直筋、上・下      斜筋）の運動機能にも着目し、これら外眼筋の硬直化をほぐすことも兼ねたトレー      ニング装置ができないか？２．  自宅等でいつでも自分の好きな時に簡単に利用できる装置ができないか？
【課題を解決するための手段】
【０００６】  支点台に支持され、正面垂直面内をシーソーのように動かすことが可能なガイドバーに往復移動する指標を備え、その指標を目線で追うことにより、１．左右水平方向、２．右斜め上から左斜め下及びその逆方向、３．左斜め上から右斜め下及びその逆方向のトレーニング  を可能とし、更に、受け台を水平面内で回転可能な構造（便宜上９０度範囲で制限を設ける。）にすることで、ガイドバーを適度に傾けた状態で  ４．目線の上下方向  のトレーニングができる。【０００７】  これらにより、外眼筋（内・外側直筋、上・下斜筋、上・下直筋）に対して定量的な反復運動を与えられるトレーニング装置とすることができる。【０００８】  前述１.〜４．の各方向に対するトレーニングでは、同時に、内眼筋である毛様体筋もトレーニングしているわけであるが、特に毛様体筋を対象にした  ５．遠近方向  のトレーニングも、ガイドバーを水平にし（水平は必要条件ではないが、表現を申請図面に合せる。）、ガイドバー端部から往復移動する指標を追うことにより定量的反復トレーニングが可能である。このとき、ガイドバーに手を添えて行うが、目が直接ガイドバー端部に当たる危険を防止するため、ガイドバー端部の傾斜部に鼻の傾斜部を直接当て、相対的な動きをゼロにして行う。【０００９】  指標の移動用駆動装置には可逆回転可能な減速装置内蔵型小型電動機（以下「モータ」と称す）を使用する。モータの取付けは支点台等の静的位置に取付ける方法とガイドバー側面（静的位置に対して動的位置）に直付けする方法がある。【００１０】  指標を取付けるスライダを牽引するストリングには細くて強靭で弾力性に富んだ材料が望ましく、バトミントン専用のストリングを採用する。ストリングの取付法はスライダ側とリール側の両端部にカシメ用のスリーブを利用してカシメて固定する方法を採用する。ストリングの張りは２個のリールを同一回転軸の下に組み合わせて位相を違えて巻き取ることで、弛みを排除できるだけでなく適度な張りを得ることができる。経年的なゆるみが発生しても、２個のリールの相対的位置を決定付けている複数のスプリングピンを抜き取り、ストリングを一方のリールに巻き取って弛みの解消と適度な張りを与えた後、再度挿入することで、調整が可能である。【００１１】  利用者の身長の違いを考えて装置の支柱部をレベル調整可能な構造とする。【００１２】  ガイドバーの長さは、卓上でシーソーのように傾けて使用することから構造的に１ｍ未満が適当であるが、装置を床から立てるスタンド型にすることで更に長いガイドバーとすることも可能である。しかしながら、前述１．〜４．のトレーニングではガイドバーをむやみに長くしても費用対効果は小さいと考える。動体視力の訓練用には有効な手段ともなりうるが、本提案の趣旨と異なる。【００１３】  ガイドバーの長さが短い分、指標の形やガイドカバー表面に細い線を入れる等で、視力低下の程度が軽く短い長さでは頼りないと感じる人にもトレーニングの意欲が引き出せるよう配慮する。
【発明の効果】
【００１４】  本発明は、一定区間を往復移動する指標を目線で追うことにより、左右・斜め上下・目線の上下・遠近方向といった、日常の眼球の動きのほぼ全方向に対して定量的な反復運動を与え、眼筋トレーニングを簡単に実施できるようにしたもので、持ち運びが可能なため、電源があれば、いつでもどこでも自分の好きなときにトレーニングができる。【００１５】  また、低下した視力の回復・改善の為のトレーニングだけでなく、眼を酷使する職業関係者の視力低下を予防するトレーニング装置としても活用することができる。【００１６】  本装置が社会的に広く普及することになれば、産業に与える効果も大きいものが予想される。
【実施例】
【００１７】  本装置の外形図を図１〜図３に示す。本装置の使用法は、１．左右水平方向、２．右斜め上から左斜め下及びその逆方向、３．左斜め上から右斜め下及びその逆方向の各トレーニングを行うときには、図１（ｂ）の要領でクッション５７に顎を乗せ、ガイドバー１４を所定の角度に配置して行う。指標１７は反転スイッチ７１を操作して往復移動を行う (操作の自動化も可能であるが、本実施例では省略) 。４．目線の上下方向のトレーニングはガイドバー１４を適度に傾けた状態で、受け台１０を支点台１１ごと９０度回わして（図２（ａ）の状態）、図２（ｂ）の要領でガイドバー１４を最大に傾け、要すれば片手を下端に添え、鼻先が指標に接触しない程度に顔をガイドバー１４と平行になるように近づけて行い、５．遠近方向は図３の要領で行う。（ガイドバーの配置を換えることを、以下の説明では「モードの変更」と称する。）【００１８】  本発明の主な構成は、脚部、支柱部、受け台部、駆動用モータ部及びガイドバー部からなり、以下に実施例の構成の詳細について記述する。【００１９】  脚部には、図４及び図９に示すように、脚１の下には装置を水平に設置するためのアジャスタ４４を備え、脚１に埋め込まれたナガナット４３との組合せで、多少の傾斜面等に装置を設置した場合でも傾きの調整ができる。【００２０】  脚１中央部には下部支柱２を取り付けるための座を有し、中心部及び後方には電気配線のための空間を有す。実施例では指標の移動方向の切替に反転スイッチ７１を操作するため、腕の窮屈感を緩和し楽な姿勢でトレーニングができるよう、支柱２後方の脚１上部に操作箱６６を取り付ける。【００２１】  支柱部は、トレーニング者の身長の違いにも対応できるよう、図４に示すように、下部支柱２と上部支柱３に分け、上部支柱３をターンバックル４により上下にスライドさせることで受け台１０のレベル調整が可能な構造とする。支柱部の組立要領・構造を以下に述べる。【００２２】  下部支柱２のフランジ部を脚１の取付座に配線用開口部が後方に来るよう挿入し（組込で自動的に位置が決まる構造としている。）、ボルトＡ４５、ナット５０及びバネザガネ５１を用いて取付ける。案内キー７は、あらかじめ下部支柱２のねじ部に図４に示すごとくスプリングピン４２を用いて下部支柱２の穴側溝に挿入して取付けておく。【００２３】  ロックナット５を下部支柱２のねじ部に取付け、上部支柱３側にはロックナット８を挿入してロックナット左６をねじ込み、上・下部支柱の間にターンバックル４を、内側に案内キー７を通して当てがい、上部支柱３のキー用溝が案内キー７と合致するよう位置合わせした上で、ターンバックル４を回して上・下部支柱を結合する。案内キー７を取付けることにより、ターンバックル４を回しても上・下部支柱は回転することなく上下動させることができる。【００２４】 ロックナット５とロックナット左６を回して、上・下部支柱を任意のレベルで固定する（仮締め。最終使用段階でレベル再調整。）。【００２５】  上部支柱３の内部は、電気配線及び質量軽減のため中空とする。【００２６】  上部支柱３のトップには受け台１０の水平回転角度を９０度に制限するための爪を設ける。また、９０度制限位置で安定させ���ため、上部支柱３のトップに取付けたプランジャー３７と接続座９の下面に取付けたリテイナプレート３９の穴が合致する構造とする。（図４参照）【００２７】  受け台部は図４に示すように、受け台１０、接続座９、クッション５７及び支点台部で構成される。取付時は、先に支点台１１を受け台１０にボルトＣ４７、ナット５０及びバネザガネ５１で取付け、接続座９をボルトＢ４６、ナット５０及びバネザガネ５１で受け台１０に取付ける。電気配線は支点台１１下面から受け台１０の中心穴を経由して行う。接続座９には結合用ネジを設け、ロックナット８で上部支柱３と接続する。【００２８】  接続座９の下面には、０度と９０度回転位置で上部支柱３の爪を受ける構造的なストッパを設けており、ロックナット８を締付けてもストッパ部下面と上部支柱３の上部合せ面との間はルーズな締りで回転可能な状態となる構造とする。【００２９】  クッション５７は着脱可能で、トレーニング中のアゴ部の負担を軽減する。アゴ受け４１の着脱により、目と指標間のレベル調整が可能である (受け台１０の上面にもクッション５７の取り付けが可能で、アゴ受け４１をつけない場合は受け台１０にクッション５７を取り付ける。) 。【００３０】  支点台部は支点台１１の他、軸受Ａ１２、軸受Ｂ１３、角度割出用リテイナプレート３８及び鼻当て４０等からなる。【００３１】  軸受Ａ１２及び軸受Ｂ１３はガイドバー１４の回転中心部に取付けられた軸部を保持する機能を持ち、ガイドバー１４の横方向から軸に装着し、支持台１１の上面に取付ける。ガイドバー１４に取付ける電気配線は、揺動による電気配線の伸縮の影響を無くすため、配線は軸受けＡ１２あるいは軸受けＢ１３の中心部を通して静止部へ取り出せるよう構造的に配慮する。軸受Ａ１２及び軸受Ｂ１３の取付けは、ガイドバー部の組立完了後に行う。【００３２】  鼻当て４０は着脱可能とする。ガイドバー部を支持台１１に取付け後、取付ける。鼻当ては、鼻先を当ててトレーニングすることで目線の移動時に顔面が振れてないか自己チェックするためのものである。【００３３】  リテイナプレート３８を取付ける。リテイナプレート３８には等分ピッチでプランジャ３７のボールを受け止める為の穴を設けており、ガイドバー１４の傾きを１５°ピッチで、−６０°〜０°〜＋６０°に角度設定ができる。（最大可動位置６５度では手を添えて保持する。）【００３４】  支点台１１の前・後面及び下面には電気配線のための溝及び配線カバーの取付が可能となるよう構造を考慮する。【００３５】  駆動用モータ部は、図５に示すように、揺動するガイドバー部にモータ用座をボルトＤ４８で取付けて設けてあり、モータ１９、モータ取付板２１、及びモータカバー２０から成る。モータ１９のモータ取付板２１への取付けは、モーター取付板２１をガイドバー１４に取付ける前に行う。【００３６】  ガイドバー部は、ガイドバー１４とこれに付属する部品からなり、図４、図５〜８に詳細を示す。【００３７】  図４にガイドバー１４中央部のプランジャ３７の取付け配置状況を示す。【００３８】  図５はリールＡ２６、リールＢ２７、ストリングＡ３２及びストリングＢ３３の組込要領を示す。【００３９】 リールＡ２６のモータ軸との取付け穴は軸側の面取り断面形状に合して成形し、スベリ止めの止めねじは不要な構造とする。【００４０】  ストリングＡ３２とストリングＢ３３の取付けは、あらかじめ、それぞれのストリングを所定の長さに切り、一端を図５に示す要領でそれぞれリールＡ２６、リールＢ２７の外周からオーバルスリーブ３１の格納部に通し、「カシメ部詳細」に示す要領でオーバルスリーブ３１に２度通した後、カシメて固定する。【００４１】  ストリングＡ３２とストリングＢ３３の各他端は、図６に示す要領でスライダ１６の穴に通して、オーバルスリーブ３１に３度通す形でカシメて固定する。【００４２】  ストリングＡ３２、ストリングＢ３３を取り付ける前に、図６に示すプーリ１８及びピン４９を取付ける（両端共）。【００４３】  図６の要領で、ストリングＡ３２、ストリングＢ３３をスライダ１６に取付けた後、所定のルートを通して図５に示す要領でリールＡ２６の軸にリールＢ２７を取付け、スペーサ２８挿入し、ベアリングブッシュ３０に通して、マエイタ２２、ヨコイタ２３，２４及びシタイタ２５と共にモータ取付板２１と一緒にボルトＤ４８、ザガネ５８、バネザガネ５９袋ナット５２を用いて取付ける。このときに合わしてスペーサＡ５５とピン４９及びスペーサＢ５６とピン５４も取付ける。【００４４】  スライダ１６を左端に移動した状態で、リールＢ２７にストリングＢ３３を巻き取り、ストリングの張りを調整する。必要ならリールＡ２６にもストリングＡ３２を巻き取り、適度な張りが得られる位置で両リールのピン穴を合せてスプリングピン２９を３箇所にできるだけ等分ピッチに近い配置で挿入する。（図５参照）【００４５】 ストッパガイド３６にバネ３５及びストッパ３４を組込み、プラスナベコネジ６１及びバネザガネ６３を用いてガイドバー１４(両端部)に取付ける。（図６参照）【００４６】 リールＡ２６及びリールＢ２７を手で回してスライダ１６がスムースに移動することを確認する。  （図５、６参照）【００４７】  プランジャ３７をガイドバー１４に取付け後、軸部を軸受Ａ１２及び軸受Ｂ１３に挿入し、両軸受を支点台１１に取付ける。軸受Ｂ１３に挿入時、モータ１９用電気配線はガイドバー１４の軸中心部を経て外に出しておく。【００４８】  鼻当て４０を取付ける。（図４参照）【００４９】  カバー１５をガイドバー１４上面に取付け、その後、指標１７を取り付ける。（図５、６、７，８参照）【００５０】 説明が支柱部・受け台部での説明と繰り返しになるが、電気配線を受け台１０及び接続座９の穴を通して支柱部内部を経て脚部まで落としながら支点台１１を受け台１０にボルトＣ４７で取付け、受け台１０と接続座９をボルトＢ４６、ナット５０及びバネザガネ５１で締め付け固定する。（図４参照）【００５１】 脚部下に落とした電気配線と操作箱の配線を結合する。配線は、受け台のレベル調整の為、調整範囲分の伸び代を十分に確保して脚部内に収納する。（図４参照。配線省略。）
【図面の簡単な説明】
【００５２】
【図１】（ａ）正面図  左右水平、斜め上下方向の眼筋トレーニングの要領図        （ｂ）側面図  左右水平、斜め上下方向の眼筋トレーニングの要領図
【図２】（ａ）正面図  目線の上下方向の眼筋トレーニングの要領図        （ｂ）側面図  目線の上下方向の眼筋トレーニングの要領図
【図３】側面図  遠近方向の眼筋トレーニングの要領図
【図４】組立断面図
【図５】（ａ）ストリングＡ，ＢとリールＡ，Ｂの関係図        （ｂ）ガイドバー直付けのモータ駆動部詳細図
【図６】スライダとストリングＡ、Ｂの取付要領及びストリングのルート図
【図７】カバー形状詳細図
【図８】指標詳細外形図
【図９】脚部及び操作箱平面図。
【符号の説明】
【００５３】１  脚２  下部支柱３  上部支柱４  ターンバックル５  ロックナット６  ロックナット左７  案内キー８  ロックナット９  接続座１０  受け台１１  支点台１２  軸受Ａ１３  軸受Ｂ１４  ガイドバー１５  カバー１６  スライダ１７  指標１８  プーリ１９  モータ２０  モータカバー２１  モータ取付板２２  マエイタ２３  ヨコイタ２４  ヨコイタ２５  シタイタ２６  リールＡ２７  リールＢ２８  スペーサ２９  スプリングピン３０  ベアリングブッシュ３１  オーバルスリーブ３２  ストリングＡ３３  ストリングＢ３４  ストッパ３５  バネ３６  ストッパガイド３７  プランジャ３８  リテイナプレート３９  リテイナプレート４０  鼻当て４１  アゴ受け４２  スプリングピン４３  ナガナット４４  アジャスタ４５  ボルトＡ４６  ボルトＢ４７  ボルトＣ４８  ボルトＤ４９  ピン５０  ナット５１  バネザガネ５２  袋ナット５３  Ｃ型トメワ５４  ピン５５  スペーサＡ５６  スペーサＢ５７  クッション５８  ザガネ５９  バネザガネ６０  サラコネジ６１  プラスナベコネジ６２  プラスナベコネジ６３  バネザガネ６６  操作箱６７  電源コンセント６８  電源ＯＮ／ＯＦＦスイッチ６９  電源表示灯７０  スピード調整つまみ７１  反転スイッチ
【図１】
0004194980.tif 000002
【図２】
0004194980.tif 000003
【図３】
0004194980.tif 000004
【図４】
0004194980.tif 000005
【図５】
0004194980.tif 000006
【図６】
0004194980.tif 000007
【図７】
0004194980.tif 000008
【図８】
0004194980.tif 000009
【図９】
0004194980.tif 000010